【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
（ａ）第１の量のジアミンと
（ｂ）第２の量のポリグリシジルエーテル
とを含むその場で形成されるヒドロゲルポリマー組成物であって、
（ａ）及び（ｂ）の各々が、生体適合性であるその場で形成されるヒドロゲルポリマーを生成する量で、哺乳動物内又は哺乳動物内に置かれた医療装置中に存在し、かつ約１０秒から約３０分の混合後の硬化時間を持っており、また
該ヒドロゲルポリマーの容積が、硬化及び水和後に３０％未満で膨潤することを特徴とする組成物。
【請求項２】
さらに放射線不透過性の材料を含むことを特徴とする、請求項１に記載の組成物。
【請求項３】
前記放射線不透過性の材料が滅菌されることを特徴とする、請求項２に記載の組成物。
【請求項４】
前記放射線不透過性の材料が、ヨウ化ナトリウム、ヨウ化カリウム、硫酸バリウム、ビジパーク３２０、ハイパーク、オムニパーク３５０及びヘキサブリックスからなる群から選択されることを特徴とする、請求項１に記載の組成物。
【請求項５】
前記ポリグリシジルエーテルが、トリメチロールプロパントリグリシジルエーテル、ソルビトールポリグリシジルエーテル、ポリグリセロールポリグリシジルエーテル、ペンタエリスリトールポリグリシジルエーテル、ジグリセロールポリグリシジルエーテル、グリセロールポリグリシジルエーテル、トリメチロールプロパンポリグリシジルエーテル、ポリエチレングリコールジグリシジルエーテル、レゾルシノールジグリシジルエーテル、ｐ−ヒドロキシ安息香酸のグリシジルエステルエーテル、ネオペンチルグリコールジグリシジルエーテル、１，６−ヘキサンジオールジグリシジルエーテル、ビスフェノールＡ（ＰＯ）2ジグリシジルエーテル、ハイドロキノンジグリシジルエーテル、ビスフェノールＳジグリシジルエーテル、テレフタル酸ジグリシジルエステル及びそれらの混合物からなる群から選択されることを特徴とする、請求項１に記載の組成物。
【請求項６】
前記ポリグリシジルエーテルが硬化の前に滅菌されることを特徴とする、請求項１に記載の組成物。
【請求項７】
前記ジアミンが、ポリエチレングリコール（４００）ジアミン、ジ−（３−アミノプロピル）ジエチレングリコール、ポリオキシプロピレンジアミン、ポリエーテルジアミン、ポリオキシエチレンジアミン、トリエチレングリコールジアミン及びそれらの混合物からなる群から選択されるアミノ又はアルキルアミノ末端を有する（ポリ）アルキレングリコールからなる群から選択されることを特徴とする、請求項１に記載の組成物。
【請求項８】
前記ジアミンが、硬化の前に滅菌されることを特徴とする、請求項１に記載の組成物。
【請求項９】
前記ジアミンが親水性であり、かつ前記ポリグリシジルエーテルが硬化の前に親水性であることを特徴とする、請求項１に記載の組成物。
【請求項１０】
前記ジアミンが親水性であり、かつ前記ポリグリシジルエーテルが硬化の前に疎水性であることを特徴とする、請求項１に記載の組成物。
【請求項１１】
前記ジアミンが疎水性であり、かつ前記ポリグリシジルエーテルが硬化の前に親水性であることを特徴とする、請求項１に記載の組成物。
【請求項１２】
前記その場で形成されるポリマーが、哺乳動物内に又は哺乳動物内に置かれた医療装置中に、管腔内移植片において、塞栓装置として、膨張可能な閉塞部材において、組織膨化装置として、存在することを特徴とする、請求項１に記載の組成物。
【請求項１３】
前記その場で形成されるポリマーが、哺乳動物内に、又は哺乳動物内に置かれた医療装置中に、管腔内移植片において、存在することを特徴とする、請求項１２に記載の組成物。
【請求項１４】
前記管腔内移植片において、前記ポリマーが
（ａ）ジ−（３−アミノプロピル）ジエチレングリコールと
（ｂ）ポリエチレングリコールグリシジルエーテルとトリメチロールプロパントリグリシジルエーテルの混合物
とからなることを特徴とする、請求項１３に記載の組成物。
【請求項１５】
前記その場で形成されるポリマーが、哺乳動物内に又は哺乳動物内に置かれた医療装置中に、塞栓装置において、存在することを特徴とする、請求項１２に記載の組成物。
【請求項１６】
前記塞栓装置が、
（ａ）ジ−（３−アミノプロピル）ジエチレングリコールとポリオキシエチレンジアミンの混合物と
（ｂ）ソルビトールポリグリシジルエーテル
とからなることを特徴とする、請求項１５に記載の組成物。
【請求項１７】
前記塞栓装置が、
（ａ）ジ−（３−アミノプロピル）ジエチレングリコールと
（ｂ）ペンタエリスリトールポリグリシジルエーテルとトリメチロールプロパンポリグリシジルエーテルの混合物
とからなることを特徴とする、請求項１５に記載の組成物。
【請求項１８】
前記その場で形成されるポリマーが、哺乳動物内に又は哺乳動物内に置かれた医療装置中に、膨張可能な閉塞部材として、又は組織膨化装置として、存在することを特徴とする、請求項１２に記載の組成物。
【請求項１９】
前記膨張可能な閉塞部材において、又は組織膨化装置として、前記ポリマーが、
（ａ）ジ−（３−アミノプロピル）ジエチレングリコールと
（ｂ）ソルビトールポリグリシジルエーテル
とからなることを特徴とする、請求項１８に記載の組成物。
【請求項２０】
前記ジアミンが前記ポリマーの約４質量％から約２０質量％の間の量で存在し、また前記ポリグリシジルエーテルが前記ポリマーの約１５質量％から約６０質量％の間の量で存在することを特徴とする、請求項２に記載の組成物。
【請求項２１】
前記ジアミンが前記ポリマーの約５質量％から約１５質量％の間の量で存在し、また前記ポリグリシジルエーテルが前記ポリマーの約２５質量％から約４０質量％の間の量で存在することを特徴とする、請求項２に記載の組成物。
【請求項２２】
前記ジアミンがジ−（３−アミノプロピル）ジエチレングリコールであり、前記ポリグリシジルエーテルがポリエチレングリコールグリシジルエーテルとトリメチロールプロパントリグリシジルエーテルの混合物であり、また前記放射線不透過性の材料がヨウ化ナトリウム、ヨウ化カリウム、硫酸バリウム、ビジパーク３２０、ハイパーク、オムニパーク３５０及びヘキサブリックスからなる群から選択されることを特徴とする、請求項２、２０及び２１のいずれかに記載の組成物。
【請求項２３】
前記ジアミンがジ−（３−アミノプロピル）ジエチレングリコールであり、前記ポリグリシジルエーテルがソルビトールポリグリシジルエーテルであり、また前記放射線不透過性の材料がヨウ化ナトリウム、ヨウ化カリウム、硫酸バリウム、ビジパーク３２０、ハイパーク、オムニパーク３５０及びヘキサブリックスからなる群から選択されることを特徴とする、請求項２、２０及び２１のいずれかに記載の組成物。
【請求項２４】
前記ジアミンが前記ポリマーの約７質量％から約６０質量％の間の量で存在し、また前記ポリグリシジルエーテルが前記ポリマーの約７質量％から約５５質量％の間の量で存在することを特徴とする、請求項２に記載の組成物。
【請求項２５】
前記ジアミンが前記ポリマーの約１０質量％から約４５質量％の間の量で存在し、また前記ポリグリシジルエーテルが前記ポリマーの約１４質量％から約３５質量％の間の量で存在することを特徴とする、請求項２に記載の組成物。
【請求項２６】
前記ジアミンが前記ポリマーの約５質量％から約３０質量％の間の量で存在し、また前記ポリグリシジルエーテルが前記ポリマー組成物の約４０質量％から約９０質量％の間の量で存在することを特徴とする、請求項２に記載の組成物。
【請求項２７】
前記ジアミンがジ−（３−アミノプロピル）ジエチレングリコールとポリオキシエチレンジアミンからなる群から選択され、前記ポリグリシジルエーテルがソルビトールポリグリシジルエーテルであり、また前記放射線不透過性の材料がヨウ化ナトリウム、ヨウ化カリウム、硫酸バリウム、ビジパーク３２０、ハイパーク、オムニパーク３５０及びヘキサブリックスからなる群から選択されることを特徴とする、請求項２、２４及び２５のいずれかに記載の組成物。
【請求項２８】
（ａ）第１の量のジアミンを入れた容器、
（ｂ）第２の量のポリグリシジルエーテルを入れた容器、
（ｃ）任意にて、放射線不透過性の材料、及び
哺乳動物内にて、又は哺乳動物内に置かれた医療装置中にてその場でヒドロゲルポリマーを生成するために、該容器の各々中に存在する材料を組み合わせる旨の使用説明書
とを含む、請求項１から２７のいずれかに記載のその場で形成されるヒドロゲルポリマーを調製するためのキット。
【請求項２９】
請求項１から２７のいずれかに記載のヒドロゲルポリマー組成物であって、該組成物が、
（１）ジアミンとポリグリシジルエーテルを含む混合物を形成する工程、
（２）該混合物を、哺乳動物内に、又は哺乳動物内に置かれた医療装置中に入れる工程、（３）該混合物を硬化させ、該ヒドロゲルポリマーを形成させる工程
とを含むことを特徴とする方法によって形成される、ヒドロゲルポリマー組成物。
【請求項３０】
請求項１から２７のいずれかに記載のヒドロゲルポリマー組成物の、医療用材料を製造するための使用であって、該組成物が、
（１）ジアミンとポリグリシジルエーテルを含む混合物を形成する工程、
（２）該混合物を、哺乳動物内に、又は哺乳動物内に置かれた医療装置中に入れる工程、（３）該混合物を硬化させ、該ヒドロゲルポリマーを形成させる工程
とを含むことを特徴とする方法によって形成される、使用。